(57)【特許請求の範囲】
【請求項１】
無線通信機能を有する地上波放送信号中継装置とＧＰＳ機能を有する携帯端末とを無線通信ネットワークで接続する過程と、
前記携帯端末が、前記ＧＰＳ機能を用いて特定した前記携帯端末の位置に基づいて、前記地上波放送信号中継装置の位置を特定し、特定した前記地上波放送信号中継装置の位置と、メモリに格納された複数の地上波放送送信タワーの位置とを比較することにより、周辺の一番近い地上波放送送信タワーの位置を特定する過程と、
前記携帯端末が、特定した前記地上波放送送信タワーの位置と前記地上波放送信号中継装置の位置との関係に基づいて、前記地上波放送信号中継装置の位置に対して前記地上波放送送信タワーの位置の側の領域に含まれる場所を特定する過程と、
前記携帯端末が、特定した前記領域に含まれる場所が前記地上波放送信号中継装置の設置に適した場所であることを前記携帯端末の画面上に表示する過程と、
を備える、
地上波放送信号中継装置の設置方法。
【請求項２】
前記携帯端末の画面上に表示された前記領域に含まれる場所に設置された前記地上波放送信号中継装置が、すべての受信可能な放送チャネルをスキャンし、その受信結果に基づいて受信位置の受信レベルを算出し、前記携帯端末が、前記受信レベルの算出結果を前記携帯端末の画面上に表示する過程と、
をさらに備える、
請求項１に記載の地上波放送信号中継装置の設置方法。
【請求項３】
前記領域に含まれる場所を前記携帯端末の画面上に表示する過程は、
第１候補場所を前記携帯端末の画面上に表示する過程と、
前記第１候補場所を前記携帯端末の画面上に表示する過程の後に、前記第１候補場所における前記受信レベルが所定のレベルより低い場合、第２候補場所を前記携帯端末の画面上に表示する過程と、
を含む、
請求項２に記載の地上波放送信号中継装置の設置方法。
【請求項４】
前記地上波放送信号中継装置は、
放送局から送信される地上波放送信号を無線放送網を介して受信する放送受信部と、
前記放送受信部で受信した地上波放送信号を無線近距離通信ネットワークを介してディスプレイ端末に無線でストリーミングする放送ストリーミング部と、
を備える、
請求項１乃至３の何れか１項に記載の地上波放送信号中継装置の設置方法。
【請求項５】
前記地上波放送信号中継装置は、前記放送受信部で受信した地上波放送信号を前記無線近距離通信ネットワークを介して転送できるフォーマットに変換する放送変換部をさらに備え、
前記放送ストリーミング部は、前記放送変換部でフォーマットを変換した地上波放送信号を前記無線近距離通信ネットワークを介して前記ディスプレイ端末に無線でストリーミングする、
請求項４に記載の地上波放送信号中継装置の設置方法。
【請求項６】
前記無線近距離通信ネットワークは、ＷｉＦｉネットワークを含む、
請求項５に記載の地上波放送信号中継装置の設置方法。
【請求項７】
前記地上波放送信号中継装置は、前記ディスプレイ端末から前記無線近距離通信ネットワークを介して前記ディスプレイ端末の認証要請情報を受信し、前記ディスプレイ端末の認証が承認されると、前記ディスプレイ端末に前記無線近距離通信ネットワークを介して認証承認情報を送信し、前記地上波放送信号を前記放送ストリーミング部を介して認証が承認された前記ディスプレイ端末に無線でストリーミングする制御部をさらに備える、
請求項４乃至６の何れか１項に記載の地上波放送信号中継装置の設置方法。
【請求項８】
前記制御部は、認証が承認された前記ディスプレイ端末から前記無線近距離通信ネットワークを介してチャネル受信要請情報を受信し、該チャネル受信要請情報に基づいて受信した地上波放送信号を前記放送ストリーミング部を介して前記ディスプレイ端末に無線でストリーミングする、
請求項７に記載の地上波放送信号中継装置の設置方法。
【請求項９】
前記ディスプレイ端末は複数のパーソナルディスプレイ端末を含み、
前記放送ストリーミング部は、前記無線近距離通信ネットワークを介して、前記放送受信部で受信した地上波放送信号を前記複数のパーソナルディスプレイ端末のそれぞれに無線でストリーミングする、
請求項４乃至８の何れか１項に記載の地上波放送信号中継装置の設置方法。
【発明の詳細な説明】
【技術分野】
【０００１】
本発明は、地上波放送信号中継装置の設置方法に関する。
【０００２】
より詳しくは、放送局から送信される地上波放送信号を受信し、ディスプレイ端末に無線でストリーミングする装置を、最適な受信場所に設置する方法に関する。
【背景技術】
【０００３】
家庭内に設けられ、アンテナを有し、放送局から無線（放送）で送信される地上波放送信号を受信する従来の地上波放送受信機は、通常、有線ケーブルを介してＴＶなどのディスプレイ端末と接続される。そのために、家庭内でディスプレイ端末の設置場所が決まると、有線ケーブルの長さの制約により、アンテナを有する地上波放送受信機を設置できる領域に制限が出てくる。
【０００４】
国際公開第２０１１／１３６５８１号には、コンテンツプロバイダーのサーバ等からコンテンツサービスを受信して、各家庭のネットワークを介してディスプレイ装置に表示させるシステムが開示されている。
【先行技術文献】
【特許文献】
【０００５】
【特許文献１】国際公開第２０１１／１３６５８１号
【発明の概要】
【発明が解決しようとする課題】
【０００６】
上述した有線ケーブルでディスプレイ端末に接続された地上波放送受信機においては、地上波放送信号受信により良い位置が存在しても、有線ケーブルの長さの制約からディスプレイ端末と地上波放送受信機とを有線ケーブルで接続できない位置の場合には、地上波放送受信機は、ディスプレイ端末の設置場所を変更しない限り、有線ケーブルが届く領域内に設けるしかない。そのために、放送受信感度が相対的に低くなり、ユーザーに高品質の放送を提供できなくなる場合がある。
【０００７】
図１は、従来の地上波放送受信機の設置領域の一例を示す模式図である。
図１を参照すると、従来の地上波放送受信機（１０）は、有線ケーブル（ＣＢ）を介してＴＶなどのディスプレイ端末（２０）と接続される。そのために、家庭内でディスプレイ端末（２０）の設置場所が決まると、地上波放送受信機（１０）は、有線ケーブル（ＣＢ）の長さの制約により、地上波放送受信機（１０）を設置できる場所が設置可能領域（ＩＲ）内に制限される。従って、地上波放送信号の受信に最適な位置が設置可能領域（ＩＲ）外にある場合は、地上波放送受信機（１０）は、ディスプレイ端末（２０）の設置場所を変更しない限り、地上波放送信号の受信に最適な位置に設けることができなくなり、相対的に受信感度が低い場所に設置することになる。
【０００８】
さらに、従来の地上波放送受信機（１０）は、有線ケーブル（ＣＢ）を介してディスプレイ端末（２０）と１：１で接続されるので、地上波放送受信機（１０）で受信した地上波放送信号は、一台のディスプレイ端末（２０）のみに提供される。このような問題を解決するため、信号分配用のジャックなどを用いて地上波放送受信機（１０）が複数のパーソナルディスプレイ端末（２０）に地上波放送信号を送信する方法も用いられているが、この場合は、別途の装置（例えば、信号分配機など）を設ける必要があり、これによって別途の施工過程が必要となる問題がある。
【０００９】
一方で、特許文献１に記載の技術の場合には、サーバからコンテンツサービスを受信する構成であるため、放送局が実時間で放送する地上波放送信号をディスプレイ端末に表示させるのには、適していない。
【００１０】
本発明が解決しようとする一つの技術的課題は、放送局から送信される地上波放送信号を無線放送網を介して受信し、受信した地上波放送信号を無線近距離通信ネットワークを介してディスプレイ端末に無線でストリーミングする地上波放送信号中継装置を、最適な受信場所に設置する方法を提供することである。
【課題を解決するための手段】
【００１１】
本発明の実施例においては、無線通信機能を有する地上波放送信号中継装置とＧＰＳ機能を有する携帯端末とを無線通信ネットワークで接続する過程と、ＧＰＳ機能を用いて特定した携帯端末の位置に基づいて、地上波放送信号中継装置の位置を特定し、特定した地上波放送信号中継装置の位置に基づいて、周辺の一番近い地上波放送送信タワーの位置を特定する過程と、特定した地上波放送送信タワーの位置に基づいて、地上波放送信号中継装置を設置する室内の最適な場所を決定する過程と、を備える、地上波放送信号中継装置の設置方法を提供する。
【００１２】
本発明の実施例において、地上波放送信号中継装置の設置方法は、決定した最適な場所を携帯端末の画面上に表示する過程をさらに備える。
【００１３】
本発明の実施例において、地上波放送信号中継装置の設置方法は、携帯端末の画面上に表示された最適な場所に地上波放送信号中継装置を設置する過程と、地上波放送信号中継装置が、すべての受信可能な放送チャネルをスキャンし、その受信結果に基づいて受信位置の受信レベルを算出し、携帯端末が、受信レベルの算出結果を携帯端末の画面上に表示した後に、受信レベルを評価する過程と、をさらに備える。
【００１４】
本発明の実施例において、最適な場所を決定する過程は、少なくとも第１候補場所及び第２候補場所を含む複数の候補場所を決定する過程を含み、設置する過程は、前記第１候補場所に地上波放送信号中継装置を設置する過程を含み、受信レベルを評価する過程を、第１候補場所に対して行い、第１候補場所の受信レベルが所定のレベルより低い場合、設置する過程は、第２候補場所に地上波放送信号中継装置を再設置する過程をさらに含む。
【００１５】
本発明の実施例において、地上波放送信号中継装置の設置方法は、受信レベルが所定のレベル以上になるまで受信レベルを評価する過程から再設置する過程までを繰り返す過程をさらに備える。
【００１６】
本発明の実施例において、地上波放送信号中継装置は、放送局から送信される地上波放送信号を無線放送網を介して受信する放送受信部と、放送受信部で受信した地上波放送信号を無線近距離通信ネットワークを介してディスプレイ端末に無線でストリーミングする放送ストリーミング部と、を備える。
【００１７】
本発明の実施例においては、地上波放送信号中継装置は、放送受信部で受信した地上波放送信号を無線近距離通信ネットワークを介して転送できるフォーマットに変換する放送変換部をさらに備え、放送ストリーミング部は、放送変換部でフォーマットを変換した地上波放送信号を無線近距離通信ネットワークを介してディスプレイ端末に無線でストリーミングする。
【００１８】
本発明の実施例において、無線近距離通信ネットワークは、ＷｉＦｉネットワークを含む。
【００１９】
本発明の実施例において、地上波放送信号中継装置は、ディスプレイ端末から無線近距離通信ネットワークを介してディスプレイ端末の認証要請情報を受信し、ディスプレイ端末の認証が承認されると、ディスプレイ端末に無線近距離通信ネットワークを介して認証承認情報を送信し、地上波放送信号を放送ストリーミング部を介して認証が承認されたディスプレイ端末に無線でストリーミングする制御部をさらに備える。
【００２０】
本発明の実施例において、制御部は、認証が承認されたディスプレイ端末から無線近距離通信ネットワークを介してチャネル受信要請情報を受信し、該チャネル受信要請情報に基づいて受信した地上波放送信号を放送ストリーミング部を介してディスプレイ端末に無線でストリーミングする。
【００２１】
本発明の実施例において、ディスプレイ端末は複数のパーソナルディスプレイ端末を含み、放送ストリーミング部は、無線近距離通信ネットワークを介して、放送受信部で受信した地上波放送信号を複数のパーソナルディスプレイ端末のそれぞれに無線でストリーミングする。
【発明の効果】
【００２２】
本発明の実施例によれば、放送受信感度のよい最適な場所に地上波放送信号中継装置を設けることができるので、放送受信環境を改善できるという効果を奏する。
【００２３】
さらに、本発明の実施例によれば、ユーザーが、放送受信感度のよい最適な場所を容易に見つけることができるので、常に最適な場所に地上波放送信号中継装置を設けることができるという効果を奏する。
【図面の簡単な説明】
【００２４】
【図１】従来の地上波放送受信機の設置領域の一例を示す模式図である。
【図２】本発明の実施例に係る地上波放送信号中継装置の動作を説明するための模式図である。
【図３】図２に示した地上波放送信号中継装置の機能ブロック図である。
【図４】本発明の実施例に係る地上波放送信号中継装置の地上波放送信号中継動作の一例を説明するための模式図である。
【図５】本発明の実施例に係る地上波放送信号中継方法の一例を説明するための模式図である。
【図６】本発明の実施例に係る地上波放送信号中継方法の他の例を説明するための模式図である。
【図７】本発明の実施例に係る地上波放送信号中継方法のさらに別の例を説明するための模式図である。
【図８】本発明の実施例に係る地上波放送信号中継装置の設置方法のフローチャートである。
【発明を実施するための形態】
【００２５】
以下では、添付の図面を参照して、本発明の実施例に係る地上波放送信号中継装置及び方法について詳しく説明する。
【００２６】
まず、図２を参照し、本発明の実施例に係る地上波放送信号中継装置について説明する。
【００２７】
図２は、本発明の実施例に係る地上波放送信号中継装置（１００）の動作を説明するための模式図である。
【００２８】
図２を参照すると、本発明の実施例に係る地上波放送信号中継装置（１００）は、家庭内に位置する複数のパーソナルディスプレイ端末（２００−１乃至２００−ｎ）と無線通信ネットワーク（４００）を介して接続される。
【００２９】
地上波放送信号中継装置（１００）は、地上波放送局（３００)とディスプレイ端末（２００）の間で地上波放送信号を中継する。即ち、地上波放送信号中継装置（１００）は、地上波放送局（３００)から送信される地上波放送信号を地上波放送網（５００）を介して受信する。そして、地上波放送信号中継装置（１００）は、地上波放送局（３００)から受信した地上波放送信号を無線通信ネットワーク（４００）を介してディスプレイ端末（２００）に無線でストリーミングする。このとき、地上波放送信号中継装置（１００）は、地上波放送信号を複数のパーソナルディスプレイ端末（２００−１乃至２００−ｎ）に無線でストリーミングすることができる。
【００３０】
ディスプレイ端末（２００）は、地上波放送信号中継装置（１００）からストリーミングされる地上波放送信号を無線通信ネットワーク（４００）を介して受信し、受信した地上波放送信号を表示（画面出力）する。ディスプレイ端末（２００）は、ＴＶのみならず、デスクトップコンピューター、ノート型のコンピューター、ワークステーション、パムトップ（Ｐａｌｍｔｏｐ）コンピューター、ＵＭＰＣ（Ｕｌｔｒａ  Ｍｏｂｉｌｅ，  Ｐｅｒｓｏｎａｌ  Ｃｏｍｐｕｔｅｒ）、タブレット、個人用携帯情報端末機（Ｐｅｒｓｏｎａｌ  Ｄｉｇｉｔａｌ  Ａｓｓｉｓｔａｎｔ：ＰＤＡ）、ウェブパッド、スマートフォン、携帯電話などのようにメモリ手段を備えてマイクロプロセッサを搭載し、演算能力を備えた端末で構成される。
【００３１】
地上波放送局（３００)は、映像を実時間で放送する。即ち、地上波放送局（３００)は、ドラマ、ニュース、映画などの様々な放送プログラムを無線地上波放送信号に変換し、地上波放送網（５００）を介して送信する。このとき、地上波放送局（３００)は、放送用衛星（不図示）を介して地上波放送信号を送信することもできる。
【００３２】
無線通信ネットワーク（４００）は、各種のデータを送受信する通信ネットワークをいう。無線通信ネットワーク（４００）には、ＷｉＦｉネットワークなどがある。なお、無線通信ネットワーク（４００）は、ＮＦＣ（Ｎｅａｒ  Ｆｉｅｌｄ  Ｃｏｍｍｕｎｉｃａｔｉｏｎ）やＢｌｕｅｔｏｏｔｈ（登録商標）等の近距離無線通信ネットワークを含んでもよい。
【００３３】
地上波放送網（５００）は、地上波放送局（３００)から送信される地上波放送信号を伝達する放送網をいう。
【００３４】
このように、地上波放送信号中継装置（１００）は、地上波放送局（３００)から無線で受信した地上波放送信号を、有線ケーブルではなく、無線でディスプレイ端末（２００）にストリーミングするので、放送受信感度の良い最適な場所に地上波放送信号中継装置（１００）を設けることができる。従って、放送受信環境を改善することができる。
【００３５】
さらに、地上波放送信号を複数のパーソナルディスプレイ端末（２００−１乃至２００−ｎ）に無線でストリーミングすることで、地上波放送信号中継装置（１００）の効率を高めることができる。
【００３６】
図３は、図２に示した地上波放送信号中継装置（１００）の機能ブロック図である。
【００３７】
図３を参照すると、地上波放送信号中継装置（１００）は、放送受信部（１１０）、放送変換部（１３０）、放送ストリーミング部（１５０）、及び制御部（１７０）を備える。
【００３８】
放送受信部（１１０）は、地上波放送局（３００)から送信される地上波放送信号を地上波放送網（５００）を介して受信する。
【００３９】
放送変換部（１３０）は、放送受信部（１１０）で受信した地上波放送信号を無線通信ネットワーク（４００）を介してディスプレイ端末（２００）に提供できるように地上波放送信号のフォーマットを変換する。即ち、放送変換部（１３０）は、地上波放送網（５００）で用いるためのフォーマットの地上波放送信号を無線通信ネットワーク（４００）で用いるためのフォーマットに変換する。例えば、無線通信ネットワーク（４００）がＷｉＦｉネットワークの場合、放送変換部（１３０）は、放送受信部（１１０）で受信した地上波放送信号をＷｉＦｉネットワークを介して転送できるフォーマットに変換する。
【００４０】
放送ストリーミング部（１５０）は、放送受信部（１１０）で受信し、放送変換部（１３０）でフォーマットを変換した地上波放送信号を無線通信ネットワーク（４００）を介してディスプレイ端末（２００）に無線でストリーミングする。すると、ディスプレイ端末（２００）は、受信した地上波放送信号を画面出力する。
【００４１】
このとき、放送ストリーミング部（１５０）は、放送受信部（１１０）で受信し、放送変換部（１３０）でフォーマットを変換した地上波放送信号を無線通信ネットワーク（４００）を介して複数のパーソナルディスプレイ端末（２００−１乃至２００−ｎ）のそれぞれに無線でストリーミングすることができる。
【００４２】
なお、放送ストリーミング部（１５０）は、フォーマットを変換した地上波放送信号をストリーミングする際に、変換前の地上波放送信号のフォーマットに関するフォーマット情報もディスプレイ端末にそれぞれ送信してもよい。例えば、放送ストリーミング部（１５０）は、フォーマット情報を送信した後に、フォーマット情報が示すフォーマットの地上波放送信号をストリーミングしてもよい。ディスプレイ端末は、他の処理を実行中にフォーマット情報を受信すると、他の処理を中断して、フォーマット情報が示すフォーマットに基づいて、ストリーミングされてくる処理負荷の大きい地上波放送信号の画面出力を行う。
【００４３】
また、放送ストリーミング部（１５０）は、放送受信部（１１０）の地上波放送信号の受信状況に応じて、ストリーミング速度を調整してもよい。また、放送ストリーミング部（１５０）は、地上波放送信号の画面出力を行うディスプレイ端末の台数に応じて、ストリーミング速度又は画質を調整してもよい。例えば、放送ストリーミング部（１５０）は、ディスプレイ端末の台数が多い場合、ストリーミング速度又は画質を低下させる。
【００４４】
制御部（１７０）は、地上波放送信号中継装置（１００）の全般的な動作を制御する。即ち、制御部（１７０）は、放送受信部（１１０）、放送変換部（１３０）、及び放送ストリーミング部（１５０）の動作を制御し、地上波放送局（３００)から送信される地上波放送信号をディスプレイ端末（２００）に伝達する。
【００４５】
このとき、制御部（１７０）は、ディスプレイ端末（２００）の認証が承認された場合に、地上波放送信号を該当するディスプレイ端末（２００）にストリーミングすることができる。
【００４６】
即ち、制御部（１７０）は、ディスプレイ端末（２００）から無線通信ネットワーク（４００）を介して認証要請情報を受信する。ここで、認証要請情報はディスプレイ端末（２００）を識別できる情報などを含む。
【００４７】
そして、制御部（１７０）は、該当するディスプレイ端末（２００）を認証する。例えば、認証要請情報を送信したディスプレイ端末（２００）が既に登録されている端末であれば、制御部（１７０）は、当該ディスプレイ端末（２００）の認証を承認する。一方、認証要請情報を送信したディスプレイ端末（２００）が登録されてない場合は、制御部（１７０）は、当該ディスプレイ端末（２００）の認証を拒否することができる。
【００４８】
当該ディスプレイ端末（２００）の認証が承認されると、制御部（１７０）は、当該ディスプレイ端末（２００）に無線通信ネットワーク（４００）を介して認証承認情報を送信する。
【００４９】
その後、制御部（１７０）は、放送受信部（１１０）で受信し、放送変換部（１３０）でフォーマットを変換した地上波放送信号を、認証が承認されたディスプレイ端末（２００）に、放送ストリーミング部（１５０）を介して無線でストリーミングする。
【００５０】
さらに、制御部（１７０）は、認証が承認されたディスプレイ端末（２００）が要請したチャネルの地上波放送信号を当該ディスプレイ端末（２００）にストリーミングすることができる。
【００５１】
即ち、制御部（１７０）は、無線通信ネットワーク（４００）を介して、認証が承認されたディスプレイ端末（２００）からチャネル受信要請情報を受信する。ここで、チャネル受信要請情報は、ディスプレイ端末（２００）を識別できる情報、受信を希望する放送チャネルを識別できる情報などを含む。
【００５２】
その後、制御部（１７０）は、放送受信部（１１０）が、ディスプレイ端末（２００）から要請した放送チャネルを識別できる情報に基づいて地上波放送信号を受信するように制御する。制御部（１７０）は、受信した地上波放送信号を放送ストリーミング部（１５０）を介して該当するディスプレイ端末（２００）に無線でストリーミングする。
【００５３】
図４は、本発明の実施例に係る地上波放送信号中継装置（１００）の地上波放送信号中継動作の一例を説明するための模式図である。
【００５４】
図４を参照すると、家庭（ＨＭ）内で放送受信感度が良い最適な場所に地上波放送信号中継装置（１００）が設けられ、家庭（ＨＭ）内にＴＶ（２００−１）、タブレット（２００−２）、及びスマートフォン（２００−３）が位置している。
【００５５】
地上波放送信号中継装置（１００）は、ディスプレイ端末（２００）であるＴＶ（２００−１）、タブレット（２００−２）、及びスマートフォン（２００−３）と、有線ケーブルではなく、無線通信ネットワーク（４００）を介して接続される。従って、地上波放送信号中継装置（１００）は、ディスプレイ端末（２００）との距離制約なしに地上波放送局（３００)から受信した地上波放送信号をディスプレイ端末（２００）に提供することができる。
【００５６】
図５は、本発明の実施例に係る地上波放送信号中継方法の一例を説明するための模式図である。
【００５７】
図５を参照すると、地上波放送局（３００)は、地上波放送網（５００）を介して地上波放送信号を送信する（Ｓ１１０）。
【００５８】
その後、地上波放送信号中継装置（１００）は、地上波放送網（５００）を介して、地上波放送局（３００)から送信される地上波放送信号を受信する（Ｓ１２０）。そして、地上波放送信号中継装置（１００）は、受信した地上波放送信号を無線通信ネットワーク（４００）を介してディスプレイ端末（２００）に提供できるように地上波放送信号のフォーマットを変換する（Ｓ１３０）。即ち、地上波放送信号中継装置（１００）は、地上波放送網（５００）で用いるためのフォーマットの地上波放送信号を地上波放送網（５００）で用いるためのフォーマットに変換する。例えば、無線通信ネットワーク（４００）がＷｉＦｉネットワークである場合、地上波放送信号中継装置（１００）は、受信した地上波放送信号をＷｉＦｉネットワークを介して転送できるフォーマットに変換する。
【００５９】
その後、地上波放送信号中継装置（１００）は、無線通信ネットワーク（４００）を介して、ディスプレイ端末（２００）に地上波放送信号を無線でストリーミングする（Ｓ１４０）。このとき、地上波放送信号中継装置（１００）は、無線通信ネットワーク（４００）を介して、複数のパーソナルディスプレイ端末（２００−１乃至２００−ｎ）のそれぞれに地上波放送信号を無線でストリーミングすることができる。
【００６０】
その後、ディスプレイ端末（２００）は、受信した地上波放送信号を画面出力する（Ｓ１５０）。
【００６１】
このように、地上波放送信号中継装置（１００）は、地上波放送局（３００)から無線で受信した地上波放送信号を、有線ケーブルではなく、ディスプレイ端末（２００）に無線でストリーミングする。従って、放送受信感度の良い最適な場所に地上波放送信号中継装置（１００）を設けることができ、放送受信環境を改善することができる。
【００６２】
また、地上波放送信号を複数のパーソナルディスプレイ端末（２００−１乃至２００−ｎ）のそれぞれに無線でストリーミングすることで、地上波放送信号中継装置（１００）の効率を高めることができる。
【００６３】
図６は、本発明の実施例に係る地上波放送信号中継方法の他の例を説明するための模式図である。
【００６４】
図６を参照すると、地上波放送局（３００)は、地上波放送網（５００）を介して地上波放送信号を送信する（Ｓ２１０）。
【００６５】
その後、ディスプレイ端末（２００）は、ディスプレイ端末（２００）に対する認証要請情報を無線通信ネットワーク（４００）を介して地上波放送信号中継装置（１００）に送信する（Ｓ２２０）。地上波放送信号中継装置（１００）は、認証要請情報を受信し、これに基づいて当該ディスプレイ端末（２００）を認証する（Ｓ２３０）。
【００６６】
当該ディスプレイ端末（２００）の認証が承認されると、地上波放送信号中継装置（１００）は、無線通信ネットワーク（４００）を介して、ディスプレイ端末（２００）認証承認情報を送信する（Ｓ２４０）。
【００６７】
その後、地上波放送信号中継装置（１００）は、認証が承認されたディスプレイ端末（２００）に無線通信ネットワーク（４００）を介して地上波放送信号を無線でストリーミングする（Ｓ２５０）。すると、ディスプレイ端末（２００）は、受信した地上波放送信号を画面出力する（Ｓ２６０）。ここで、地上波放送信号を受信してフォーマットを変換する過程は省略しているが、図５と同様である。
【００６８】
なお、地上波放送信号中継装置（１００）は、ディスプレイ端末（２００）の認証が承認されない場合には、当該ディスプレイ端末（２００）以外のディスプレイ端末（例えば、認証が承認されなかったディスプレイ端末の近傍に位置する、認証要請情報を地上波放送信号中継装置（１００）に送信しなかったディスプレイ端末）に、地上波放送信号をストリーミングしてもよい。この場合、地上波放送信号中継装置（１００）は、認証が承認されたディスプレイ端末（２００）に送信する場合のフォーマットと異なるフォーマットで、ディスプレイ端末（２００）以外のディスプレイ端末に地上波放送信号をストリーミングしてもよい。例えば、地上波放送信号中継装置（１００）は、認証が承認されたディスプレイ端末（２００）にストリーミングする場合よりも画質が劣るフォーマットの地上波放送信号を、ディスプレイ端末（２００）以外のディスプレイ端末にストリーミングする。また、地上波放送信号中継装置（１００）は、ディスプレイ端末（２００）の認証が承認されない場合に、認証が承認されなかった時刻に関連付けられた他のディスプレイ端末を選択して、選択したディスプレイ端末に地上波放送信号をストリーミングしてもよい。
【００６９】
図７は、本発明の実施例に係る地上波放送信号中継方法のさらに別の例を説明するための模式図である。
【００７０】
図７を参照すると、ディスプレイ端末（２００）は、無線通信ネットワーク（４００）を介して、地上波放送信号中継装置（１００）に認証要請情報を送信する（Ｓ３１０）。地上波放送信号中継装置（１００）は、受信した認証要請情報に基づいて当該ディスプレイ端末（２００）を認証する（Ｓ３２０）。
【００７１】
ディスプレイ端末（２００）の認証が承認されると、地上波放送信号中継装置（１００）は、無線通信ネットワーク（４００）を介して、当該ディスプレイ端末（２００）に認証承認情報を送信する（Ｓ３３０）。
【００７２】
その後、認証が承認されたディスプレイ端末（２００）は、無線通信ネットワーク（４００）を介して、チャネル受信要請情報を地上波放送信号中継装置（１００）に送信する（Ｓ３４０）。
【００７３】
地上波放送局（３００)は、地上波放送網（５００）を介して地上波放送信号を送信する（Ｓ３５０）。地上波放送信号中継装置（１００）は、チャネル受信要請情報に基づいて地上波放送信号を受信する。その後、地上波放送信号中継装置（１００）は、無線通信ネットワーク（４００）を介して、ディスプレイ端末（２００）に地上波放送信号を無線でストリーミングする（Ｓ３６０）。すると、ディスプレイ端末（２００）は、地上波放送信号を受信し、受信した地上波放送信号を画面出力する（Ｓ３７０）。ここで、地上波放送信号を受信してフォーマットを変換する過程は省略しているが、図５と同様である。
【００７４】
本発明の実施例に係る地上波放送信号中継装置（１００）を家庭（ＨＭ）内に設置する際には、次のように、スマートフォンのようなＧＰＳ機能を有する携帯端末（不図示）を用いることができる。
【００７５】
図８は、本発明の実施例に係る地上波放送信号中継装置の設置方法のフローチャートである。
【００７６】
まず、地上波放送信号中継装置（１００）とＧＰＳ機能を有する携帯端末を無線通信ネットワーク（４００）のような無線通信ネットワークで接続する（Ｓ４１０）。接続が完了すると、制御部（１７０）または携帯端末は、携帯端末のＧＰＳ機能を用いて地上波放送信号中継装置（１００）の位置を特定し、特定した地上波放送信号中継装置（１００）の位置に基づいて、周辺の一番近い地上波放送送信タワーの位置を特定する（Ｓ４２０）。
【００７７】
本発明の実施例において、携帯端末は、携帯端末のＧＰＳ機能を用いて、携帯端末の位置を特定する。携帯端末は、携帯端末と地上波放送信号中継装置（１００）との距離が所定の距離以下であるとみなして、特定した携帯端末の位置を地上波放送信号中継装置（１００）の位置であると推定する。ここで、携帯端末は、地上波放送信号中継装置（１００）から受信する電波の強度が所定の大きさ以上である場合に、携帯端末の位置を地上波放送信号中継装置（１００）の位置であるとみなしてもよい。また、携帯端末は、地上波放送信号中継装置（１００）から受信する電波の強度が所定の大きさ未満である場合に、地上波放送信号中継装置（１００）の位置が携帯端末の位置と異なると判定し、地上波放送信号中継装置（１００）の位置を探索してもよい。携帯端末は、例えば受信する電波の強度を特定することにより、地上波放送信号中継装置（１００）が送信した電波の到来方向を特定するとともに、受信した電波の強度に基づいて、地上波放送信号中継装置（１００）までの距離を推定する。携帯端末は、ＧＰＳ機能を用いて特定した自身の位置と、電波の推定到来方向と、地上波放送信号中継装置（１００）までの推定距離と、に基づいて、地上波放送信号中継装置（１００）の位置を推定する。
【００７８】
携帯端末は、メモリに格納された複数の地上波放送送信タワーの位置のうち、推定した地上波放送信号中継装置（１００）の位置に最も近い地上波放送送信タワーの位置を特定する。
【００７９】
そして、特定した地上波放送送信タワーの位置に基づいて、地上波放送信号中継装置（１００）を設置する室内の最適な場所を判断し（Ｓ４３０）、判断した最適な場所を携帯端末の画面上に表示する（Ｓ４４０）。例えば、携帯端末は、推定した地上波放送信号中継装置（１００）の位置に対して地上波放送送信タワーの位置の側の領域を、最適な場所として携帯端末の画面上に表示する。携帯端末は、地上波放送送信タワーの位置と推定した地上波放送信号中継装置（１００）の位置とを結ぶ直線上であって、推定した地上波放送信号中継装置（１００）の位置に対して地上波放送送信タワーの位置の側の位置を、最適な場所として画面上に表示してもよい。
【００８０】
本発明の実施例で、地上波放送信号中継装置（１００）を設置する室内の最適な場所を判断する過程では、携帯端末は、予め定められた複数の候補場所のうち、地上波放送信号中継装置（１００）の位置に対して地上波放送送信タワーの位置の側の領域に含まれる候補場所を、最適な場所として携帯端末の画面上に表示する。携帯端末は、地上波放送送信タワーの位置の側の領域に含まれる候補場所が複数ある場合（例えば、第１候補場所及び第２候補場所がある場合）、地上波放送送信タワーの位置に最も近い候補場所を最適な場所として画面上に表示する。携帯端末は、予めメモリに記憶された、地上波放送信号中継装置（１００）を設置する部屋又は家の間取り図を、最適な場所とともに表示してもよい。
【００８１】
ここで、携帯端末には、設置アプリケーションがインストールされ、地上波放送送信タワーの位置情報などが事前にメモリに格納されている。図８には、携帯端末の電源を入れて設置アプリケーションを起動する過程を省略しているが、この過程は、地上波放送信号中継装置（１００）と携帯端末を無線通信ネットワーク（４００）で接続するとプラグイン方式で自動開始するモードでも良いし、自動開始しない場合は、地上波放送信号中継装置（１００）と携帯端末を無線通信ネットワーク（４００）で接続してから、設置アプリケーションを起動するモードでも良い。
【００８２】
次に、携帯端末の画面上に表示された最適な場所に地上波放送信号中継装置（１００）を設置する（Ｓ４５０）。地上波放送信号中継装置（１００）は、設置されたことを検出すると、ＴＶ受信機能を用いて実際にすべての受信可能な放送チャネルをスキャンし、その受信結果に基づいて受信位置の受信レベルを算出し、算出された算出結果を携帯端末に送信する。携帯端末は、受信した算出結果を携帯端末の画面上に表示することで、ユーザーは受信レベルを評価することが可能になる（Ｓ４６０）。なお、携帯端末自身が、受信した算出結果に基づいて受信レベルを評価し、評価した結果を表示してもよい。
【００８３】
携帯端末の画面上に表示された受信レベルが所定のレベル以上である場合は（Ｓ４７０，ＹＥＳ）、地上波放送信号中継装置（１００）が最適な受信場所に設置されたと判断し、必要に応じて微調整を行い、地上波放送信号中継装置（１００）の設置を完了する。
【００８４】
しかし、携帯端末の画面上に表示された受信レベルが所定のレベルより低い場合は（Ｓ４７０，ＮＯ）、地上波放送信号中継装置（１００）が最適な受信場所に設置されてないと判断し、次の最適な場所を携帯端末の画面上に表示する。ユーザーは、表示された場所に地上波放送信号中継装置（１００）を設置することができる（Ｓ４８０）。次の最適な場所は、例えば、地上波放送信号中継装置（１００）の位置に対して地上波放送送信タワーの位置の側の領域に含まれる複数の候補場所のうち、最適な場所としていた候補場所から最も離れた候補場所である。携帯端末は、次の最適な場所を、最適な場所としていた候補場所に最も近い候補場所としてもよい。
【００８５】
その後、Ｓ４６０に戻り、受信レベルが所定のレベル以上になるまで、Ｓ４６０からＳ４８０までを繰り返す。
【００８６】
以上のように、本発明の実施例によれば、ユーザーが、放送受信感度のよい最適な場所を容易に見つけることができるので、常に最適な場所に地上波放送信号中継装置を設けることができる。
【００８７】
本発明は、コンピューターで読み取り可能な記録媒体にコンピューターで読み取り可能なコードとして具現することができる。コンピューターで読み取り可能な記録媒体は、データを格納するすべての種類の記録装置を含む。コンピューターで読み取り可能な記録媒体の例として、ＲＯＭ、ＲＡＭ、ＣＤ−ＲＯＭ、磁気テープ、フロッピディスク、光データ格納装置などを挙げることができる。さらに、キャリアウェーブ（インターネットを介しての転送）の形態で具現されるものも含む。コンピューターで読み取り可能な記録媒体は、有無線通信ネットワークで接続されたコンピューター装置に分散し、分散方式でコンピューターで読み取り可能なコードが格納し、そして実行することができる。
【００８８】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００８９】
１００：地上波放送信号中継装置
１１０：放送受信部
１３０：放送変換部
１５０：放送ストリーミング部
１７０：制御部
２００：ディスプレイ端末
３００：地上波放送局
４００：無線通信ネットワーク
５００：地上波放送網
【要約】
【課題】 放送局から送信される地上波放送信号を無線放送網を介して受信し、受信した地上波放送信号を無線近距離通信ネットワークを介してディスプレイ端末に無線でストリーミングする地上波放送信号中継装置を、最適な受信場所に設置する方法を提供する。
【解決手段】本発明の実施例に係る地上波放送信号中継装置の設置方法は、無線通信機能を有する地上波放送信号中継装置とＧＰＳ機能を有する携帯端末とを無線通信ネットワークで接続する過程と、ＧＰＳ機能を用いて特定した携帯端末の位置に基づいて、地上波放送信号中継装置の位置を特定し、特定した地上波放送信号中継装置の位置に基づいて、周辺の一番近い地上波放送送信タワーの位置を特定する過程と、特定した地上波放送送信タワーの位置に基づいて、地上波放送信号中継装置を設置する室内の最適な場所を決定する過程と、を備える。
【選択図】図８【図１】
0005866047.tif 000002
【図２】
0005866047.tif 000003
【図３】
0005866047.tif 000004
【図４】
0005866047.tif 000005
【図５】
0005866047.tif 000006
【図６】
0005866047.tif 000007
【図７】
0005866047.tif 000008
【図８】
0005866047.tif 000009